(57)【要約】【課題】洗浄廃水の量が比較的少なくても処理ができると共に、水切りがよく、しかもコンクリートスラッジを脱水して回収した後、コンクリート塊として回収することが可能な洗浄廃水処理装置を提供する。【解決手段】洗浄廃水処理装置(W)は、底面が平坦な面である貯留部(10)と、貯留部の底部の所要箇所に取水部を有し、フィルター(96,95,94a,94b)を通して貯留部の外部へ排水を行うための底部排水部(9)と、貯留部を形成する槽壁(103)に下限水位を違えて複数設けられ、貯留部の外部への排水と止水の切り替えが可能な排水管(12,12a,12b,12c,12d)とを有する洗浄廃水処理用プール(1)と、洗浄廃水処理用プールで分離排水した水分を処理する所要数の沈殿槽(3,4,5)と、洗浄廃水処理用プールで分離排水した水分を沈殿槽へ送る排水路(2)と、沈殿槽で処理されて生じた上澄みを回収する洗浄水道(7)を備えている。【選択図】図１
2016165699.tif 000002
【特許請求の範囲】
【請求項１】
底面が平坦な面である貯留部と、
該貯留部の底部の所要箇所に取水部を有し、フィルターを通して前記貯留部の外部へ排水を行うための、前記貯留部の外部への排水と止水の切り替えが可能な底部排水部と、
前記貯留部を形成する槽壁に下限水位を違えて複数設けられ、前記貯留部の外部への排水と止水の切り替えが可能な排水管とを備える
洗浄廃水処理用プール。
【請求項２】
前記貯留部へ向けて所要角度で下り傾斜した傾斜部を備える
請求項１の洗浄廃水処理用プール。
【請求項３】
前記排水管の前記貯留部内部側の取水口を開閉可能な閉塞部材を備える
請求項１または２の洗浄廃水処理用プール。
【請求項４】
前記排水管が、前記槽壁の外部側に位置し水平部と角度調整部からなると共に、水密状態で前記水平部の軸周方向へ回動が可能で、前記水平部を軸周方向へ回し前記角度調整部先端の高さを低くすることで前記貯留部の下限水位までの排水が可能であるＬ型管状の切替部を有する
請求項１、２または３の洗浄廃水処理用プール。
【請求項５】
底面が平坦な面である貯留部と、該貯留部の底部の所要箇所に取水部を有し、フィルターを通して前記貯留部の外部へ排水を行うための底部排水部と、前記貯留部を形成する槽壁に下限水位を違えて複数設けられ、前記貯留部の外部への排水と止水の切り替えが可能な排水管とを有する洗浄廃水処理用プールと、
該洗浄廃水処理用プールで分離排水した水分を処理する所要数の沈殿槽と、
前記洗浄廃水処理用プールで分離排水した水分を前記沈殿槽へ送る排水路と、
前記沈殿槽で処理されて生じた上澄みを回収する上澄み回収装置とを備える
洗浄廃水処理装置。
【請求項６】
前記上澄み回収装置で回収した上澄みを洗浄水とする洗浄部を備える
請求項５の洗浄廃水処理装置。
【請求項７】
洗浄廃水処理用プールに、生コンクリートを扱う作業車を洗浄して生じたコンクリートスラッジを含む洗浄廃水を所要量注入し、静置して固液分離を行う工程と、
洗浄廃水処理用プール内の水分を分離排水し、洗浄廃水処理用プールの底部に所要の含水率で固形分を残留させる工程と、
洗浄廃水処理用プール内に残留した固形分を静置して脱水する工程と、
脱水した固形分を成形型に入れて養生固化する工程とを備える
洗浄廃水の処理方法。
【請求項８】
前記分離排水した水分を所要数の沈殿槽で処理して、生コンクリートを扱う作業車を洗浄するための上澄みを回収する工程を備える
請求項７の洗浄廃水の処理方法。
【発明の詳細な説明】
【技術分野】
【０００１】
本発明は、洗浄廃水処理用プール、それを使用した洗浄廃水処理装置および洗浄廃水の処理方法に関するものである。更に詳しくは、複雑な機械的可動部分のない簡単な構造であり、コンクリートスラッジを含む洗浄廃水の量が比較的少なくても処理ができると共に、水切りがよく、しかもコンクリートスラッジを脱水して回収した後、コンクリート塊として回収することが可能な洗浄廃水処理用プール、それを使用した洗浄廃水処理装置および洗浄廃水の処理方法に関する。
【背景技術】
【０００２】
例えばミキサー車やコンクリートポンプ車など、生コンクリートを扱う各種作業車では、作業車内部で生コンクリートが固まってしまうのを防ぐために、一日の作業の終了ごとに生コンクリートを洗い流す洗浄作業を行う必要がある。この洗浄作業によって生じる廃水、つまりコンクリートスラッジを含む洗浄廃水は固液分離されて処理されるが、分離された固形分を最終的に塊として回収できれば、骨材などとして二次利用することが可能である。このような装置として、例えば特許文献１に開示された処理装置がある。
【０００３】
特許文献１に記載されている「セメントスラッジの固結処理促進装置」は、スラッジが貯留される水槽の底面から斜め上方に連なる所定角度の傾斜面を有し、傾斜面の上端部に排出口を有するコンベヤ機構を設け、コンベヤ機構は水槽の底面から傾斜面に沿って巡回動すると共に、レーキを適宜間隔で設けたチェーンコンベヤを有し、レーキを水槽の底面から傾斜面に沿って低速で移動させることでスラッジが傾斜面上に掬い上げられるようにし、スラッジが排出口から排出されるまでの時間が長くなるよう設定して、排出されたスラッジを強度のある塊状に固結できるものである。
【先行技術文献】
【特許文献】
【０００４】
【特許文献１】特開２０１０−２２１５３７号公報
【発明の概要】
【発明が解決しようとする課題】
【０００５】
しかしながら、上記セメントスラッジの固結処理促進装置は、チェーンコンベヤなどの比較的複雑な機械的可動部分が、装置の周りで作業をする作業者にとっては大変危険であり、装置の安全性に問題があった。
【０００６】
また、運転中、チェーンコンベヤなどの金属製の可動部分に常時またはほとんどの時間で水に触れているところがあり、次第に錆が生じる問題もあった。これらの腐蝕が進行すると、メンテナンスのために多大な手間がかかってしまい、更には腐蝕が進むことで生じる可動部分の騒音が周辺の迷惑になるなど、度々問題となっていた。
【０００７】
また、チェーンコンベヤのレーキで掻き揚げたコンクリートスラッジは、傾斜面を移動中に水切りを効果的に行うことができるように傾斜面の高所まで揚げられるようになっており、しかも高所にある排出口から落下させて床面に当たるようになっている。このため、コンクリートスラッジが広い範囲に飛び散って周りの設備を汚してしまうので、清掃に大変な手間がかかっていた。また、コンクリートスラッジを容器などで直接受けると、容器内で水が分離して溜まり、コンクリート分が固まりにくくなる問題があった。
【０００８】
そこで、近年では、上記のような複雑な機械的可動部分を有することに起因する各問題を生じない簡易な構造のオーバーフロー型などの浄化槽が見直されてきている。
このような、オーバーフロー型の従来の浄化槽は、沈殿槽に複数の処理槽を連設し、各処理層の上澄みのオーバーフローを段階的に行うものである。しかしこれには、洗浄廃水の量が少ないと処理ができない問題、および水切りが悪いためにコンクリートスラッジを固化させにくく、塊として回収することができないという、上記「セメントスラッジの固結処理促進装置」などの複雑な機械的可動部分を有する装置（機械仕掛け的な装置）が提案される理由となった、根本的な問題があった。
【０００９】
本発明は、以上の点に鑑みて創案されたものであり、複雑な機械的可動部分のない簡単な構造であり、作業者に対し安全性が高く、錆の発生による騒音もなくメンテナンス性にも優れているなど、オーバーフロー型などの浄化槽の有利な点を受け継ぎながら、洗浄廃水の量が比較的少なくても処理ができると共に、水切りがよく、しかもコンクリートスラッジを脱水して回収した後、コンクリート塊として回収することが可能な洗浄廃水の処理方法、洗浄廃水処理用プール、およびそれを使用した洗浄廃水処理装置を提供することを目的とする。
【課題を解決するための手段】
【００１０】
（１）本発明は、底面が平坦な面である貯留部と、該貯留部の底部の所要箇所に取水部を有し、フィルターを通して前記貯留部の外部へ排水を行うための、前記貯留部の外部への排水と止水の切り替えが可能な底部排水部と、前記貯留部を形成する槽壁に下限水位を違えて複数設けられ、前記貯留部の外部への排水と止水の切り替えが可能な排水管とを備える洗浄廃水処理用プールである。
【００１１】
（２）本発明は、前記貯留部へ向けて所要角度で下り傾斜した傾斜部を備える上記（１）の発明の洗浄廃水処理用プールである。
【００１２】
この場合は、ミキサー車やコンクリートポンプ車などの作業車を洗浄する際に、周りを汚さないように作業車を貯留部に誘導する際に作業がしやすい。また、貯留部に溜まって脱水されたコンクリートスラッジを回収するホイールローダーなどの作業車の出入りが簡単にできるため、脱水されたコンクリートスラッジの回収作業が比較的容易にできる。
【００１３】
（３）本発明は、前記排水管の前記貯留部内部側の取水口を開閉可能な閉塞部材を備える上記（１）、または（２）の発明の洗浄廃水処理用プールである。
【００１４】
この場合は、各排水管の取水口を閉塞部材で塞ぐことにより、貯留部に洗浄廃水を注入したときに、取水口にかかる圧力（水圧など）を小さくすることができ、特に取水口がより深い位置にあり本来大きな圧力がかかる下限水位が低い排水管からの漏水を防止することができる。
【００１５】
（４）本発明は、前記排水管が、前記槽壁の外部側に位置し水平部と角度調整部からなると共に、水密状態で前記水平部の軸周方向へ回動が可能で、前記水平部を軸周方向へ回し前記角度調整部先端の高さを低くすることで前記貯留部の下限水位までの排水が可能であるＬ型管状の切替部を有する上記（１）、（２）または（３）の発明の洗浄廃水処理用プールである。
【００１６】
この場合は、Ｌ型管状の切替部を水平部の軸周方向へ回動させることで、排水管を通す排水と、止める止水を切り替えることができる。また、その排水管の下限水位を一定の範囲内で調節することもできる。つまり、この構造の排水管は、切替部を水平部の軸周方向へ回動させて角度調整部先端の高さを変えると、この先端の高さがほぼ設定水位となる。そして、角度調整部先端の高さを取水口（水平部）の高さと同じか低くすることによって、その排水管の下限水位を設定することができる。
【００１７】
（５）本発明は、底面が平坦な面である貯留部と、該貯留部の底部の所要箇所に取水部を有し、フィルターを通して前記貯留部の外部へ排水を行うための底部排水部と、前記貯留部を形成する槽壁に下限水位を違えて複数設けられ、前記貯留部の外部への排水と止水の切り替えが可能な排水管とを備える洗浄廃水処理用プールと、該洗浄廃水処理用プールで分離排水した水分を処理する所要数の沈殿槽と、前記洗浄廃水処理用プールで分離排水した水分を前記沈殿槽へ送る排水路と、前記沈殿槽で処理されて生じた上澄みを回収する上澄み回収装置とを備える洗浄廃水処理装置である。
【００１８】
（６）本発明は、前記上澄み回収装置で回収した上澄みを洗浄水とする洗浄部を備える上記（５）の発明の洗浄廃水処理装置である。
【００１９】
この場合は、底部排水部と各排水管から排出された水分を沈殿槽により処理して得られた洗浄水を使用し、洗浄部によって、生コンクリートを扱う作業車の洗浄を行うことができる。
【００２０】
（７）本発明は、洗浄廃水処理用プールに、生コンクリートを扱う作業車を洗浄して生じたコンクリートスラッジを含む洗浄廃水を所要量注入し、静置して固液分離を行う工程と、洗浄廃水処理用プール内の水分を分離排水し、洗浄廃水処理用プールの底部に所要の含水率で固形分を残留させる工程と、洗浄廃水処理用プール内に残留した固形分を静置して脱水する工程と、脱水した固形分を成形型に入れて養生固化する工程とを備える洗浄廃水の処理方法である。
【００２１】
この洗浄廃水の処理方法によれば、洗浄廃水処理用プールによって、洗浄廃水の注入から固液分離、固形分であるコンクリートスラッジの脱水、および脱水されたコンクリートスラッジの回収までの作業を完結させることができる。
【００２２】
（８）本発明は、前記分離排水した水分を所要数の沈殿槽で処理して、生コンクリートを扱う作業車を洗浄するための上澄みを回収する工程を備える上記（７）の発明の洗浄廃水の処理方法である。
【００２３】
この場合は、底部排水部と各排水管から排出された水分を沈殿槽により処理して得られた洗浄水を使用し、洗浄部によって、生コンクリートを扱う作業車の洗浄を行うことができる。
【００２４】
本明細書および特許請求の範囲にいう「下限水位」の用語は、それぞれの排水管で排水することで維持できる最も低い水位（または液位）の意味で使用している。
【００２５】
（作用）
本発明の洗浄廃水処理用プールおよび洗浄廃水処理装置の作用を説明する。
洗浄廃水処理用プールの貯留部に、ミキサー車（アジテータ）やコンクリートポンプ車など、生コンクリートを扱う各種作業車を洗浄することで生じた、コンクリートスラッジを含む洗浄廃水を所要量注入する。なお、初期状態においては、底部排水部と全部の排水管は、止水側に設定されている。
【００２６】
洗浄廃水を貯留部において所定の時間静置して固液分離させる。分離した上澄み（上澄みの水）の水位（液位）が比較的高いときは、複数の排水管のうち、上澄みの懸濁状態などを参考に任意に決めた（または想定した）下限水位より下限水位が高い排水管を排水側に切り替えて、上澄みを貯留部の外部へ排出する。また、更に洗浄廃液を静置する場合は、生じた上澄みを、下限水位がより低い排水管を排水側に切り替えて排水する。
【００２７】
上澄みを排水したあと、コンクリートスラッジの濃度が所要の濃度まで濃くなったところで、底部排水部を排水側に切り替える。これにより、底部排水部からフィルターを通して、コンクリートスラッジが分離された液分（水）が貯留部の外部へ排出される。このまま、液分がほぼ抜けきるように所要の時間静置して、貯留部の内部に残ったコンクリートスラッジ（またはコンクリート分）を脱水する。
【００２８】
そして、前部に可動式のブレード（または排土板、バケットなど）を有するホイールローダーなどの作業車を使用して、貯留部に溜まって脱水されて所要の程度の固さになったコンクリートスラッジを回収することができる。回収したコンクリートスラッジは、別に用意された成形型に流し込まれ、養生固化されて塊になり、例えば建築用の骨材として二次利用することができる。
【００２９】
上記したように、洗浄廃水処理用プールは、洗浄廃水の注入から固液分離、固形分であるコンクリートスラッジの固化、および塊の状態でのコンクリートスラッジの回収までの作業を完結させることができるようになっている。
【００３０】
洗浄廃水処理用プールを備える本発明の洗浄廃水処理装置は、洗浄廃水処理用プールで分離排水した水分を排水路で沈殿槽へ送ることができ、沈殿槽で処理することにより得られた上澄みを上澄み回収装置で回収し、生コンクリートを扱う各種作業車の洗浄を行う洗浄水として利用することができる。
【００３１】
このように、洗浄廃水処理用プールおよび洗浄廃水処理装置は、複雑な機械的可動部分のない簡単な構造であり、作業者に対し安全性が高く、錆の発生による騒音もなくメンテナンス性にも優れているなど、オーバーフロー型などの浄化槽の有利な点を同様に備えている。なおかつ、貯留部に底部排水部を有することによって、洗浄廃水の量が比較的少なくても処理ができると共に、水切りがよく、貯留部に残ったコンクリートスラッジを脱水して回収し、これを成形型に入れて養生固化させ、塊として回収することが可能である。
【発明の効果】
【００３２】
本発明は、複雑な機械的可動部分のない簡単な構造であり、作業者に対し安全性が高く、錆の発生による騒音もなくメンテナンス性にも優れているなど、オーバーフロー型などの浄化槽の有利な点を受け継ぎながら、洗浄廃水の量が比較的少なくても処理ができると共に、水切りがよく、しかもコンクリートスラッジを脱水して回収し、これを成形型に入れて養生固化させてコンクリート塊として回収することが可能な洗浄廃水の処理方法、洗浄廃水処理用プール、およびそれを使用した洗浄廃水処理装置を提供することができる。
【図面の簡単な説明】
【００３３】
【図１】本発明に係る洗浄廃水処理装置の構造を示す平面視説明図である。
【図２】図１におけるＡ−Ａ部分の主にコンクリート躯体部分の拡大断面図である。
【図３】図１におけるＢ−Ｂ拡大断面図である。
【図４】図１におけるＤ−Ｄ拡大断面図である。
【図５】図１におけるＣ−Ｃ拡大断面図である。
【図６】図１におけるＤ−Ｄ拡大断面図と、Ｌ型管状の排水管の構造および底部排水部の取水口周りのフィルター構造を示す断面説明図である。
【発明を実施するための形態】
【００３４】
本発明を図面に示した実施の形態に基づき詳細に説明する。
図１ないし図６を参照する。なお図１には、洗浄廃水処理装置と共に、Ａ−Ａ、Ｄ−Ｄ部分の概略断面図をあわせて表している。
【００３５】
洗浄廃水処理装置Ｗは、図１に示すように洗浄廃水処理用プール１、排水路２、沈殿槽３、第１上澄み水槽４、第２上澄み水槽５、ｐＨ調整水槽６、および洗浄水道７を備えている。
【００３６】
（洗浄廃水処理用プール１）
洗浄廃水処理用プール１は、コンクリートで形成されている。洗浄廃水処理用プール１は、長手方向の一端側に設けられている貯留部１０を有している。なお、以下の洗浄廃水処理用プール１の説明では、方向や位置を説明する場合、図１において左右方向を長手方向とし、上下方向を幅方向として説明する。また、左側を前部側、右側を後部側とする。
【００３７】
貯留部１０は、槽状に形成されており、所要深さの平面視長方形状のほぼ平坦な水平面で形成された底部１０１と、底部１０１の端部と連続し、所要の角度で上り傾斜した長方形の平面である傾斜部１０２を有している。傾斜部１０２の傾斜角度は、本実施の形態では約５°に設定されているが、この角度に限定するものではなく、適宜設定することができる。
【００３８】
貯留部１０は、底部１０１と傾斜部１０２の外周縁部に、上面が傾斜部１０２の上端と同じ高さの水平な平面である槽壁１０３（長手側）、１０３ａ（短手側）、１０３ｂ（長手側）を形成して、槽状に設けられている。また、貯留部１０の端部、すなわち傾斜部１０２の上端には、傾斜部１０２に続けて長方形の水平面で形成された導入路１０４が設けられている。導入路１０４から傾斜部１０２にかけては、後述するように脱水したコンクリートスラッジを回収するホイールローダーなどの作業車が走行する路面となる。
【００３９】
貯留部１０の底部１０１には、槽壁１０３ａ寄りに底部排水部９が設けられている。底部排水部９は、平面視四角形で底部１０１の幅の１／２よりやや幅広い、水平な底部９００を有するフィルター形成用凹部９０を有している。フィルター形成用凹部９０の前後の上縁部には、それぞれ二箇所にレール９２を嵌め入れるための凹溝９１が形成されている。各凹溝９１は、相対向するものを一対とし、底部１０１の幅方向に所要の間隔をおいて二対が設けられている。
【００４０】
各凹溝９１のそれぞれの対には、Ｈ型鋼であるレール９２が、各フランジが上下に位置するように架け渡されて嵌め込まれている。また、各レール９２は、その上面が底部１０１とほぼ面一となるように、かつ互いに平行になるようにして、底部１０１の長手方向と平行に設置されている。なお、レールについては、上面が平坦面であり、充分な強度を有しているものであれば、その材料や構造を限定するものではない。
【００４１】
また、フィルター形成用凹部９０の底部９００には、幅方向に細長い溝状のトレンチ９３が形成されている。トレンチ９３は、槽壁１０３の内壁面から底部９００の幅よりやや短くなるよう形成され、トレンチ９３に対応する槽壁１０３の下側には、排水路２へ貫通した通し孔９３０が形成されている。トレンチ９３には、先部側を通し孔９３０に通して排水管９４が収められており、排水管９４の外部側の先端には、水密で着脱可能なキャップ９４０が装着されている。
【００４２】
排水管９４には、管状のＴ型継手９４１を介して、鉛直方向と水平方向に、管壁部に多孔構造で通水性を有するめくら排水管９４ａ、９４ｂが接続されている。水平方向のめくら排水管９４ａは、トレンチ９３の奥端部付近まで延長され、トレンチ９３の底部に載置されて収められている。なお、めくら排水管９４ａは、めくら排水管９４ｂと共に、後述するように周りに詰められる砂利の圧力にも変形しない充分な強度を有している。
【００４３】
また、鉛直方向のめくら排水管９４ｂの上端開口部（符号省略）は、底部１０１の面よりやや低い位置に開口してある（図４、図６拡大右図参照）。この上端開口部には、フィルター９４２が開口部を塞ぐように被せられており、更にその上には、金属製で所要の網目を有する網体９４３が載置されている。以下、上記構造（フィルター形成用凹部９０、トレンチ９３、排水管９４、めくら排水管９４ａ、９４ｂ）と共に、底部排水部９を構成する、砂利層と砂層からなるフィルター部の層構造について説明する。
【００４４】
まず、図４に示すように、めくら排水管９４ａ、９４ｂとトレンチ９３、フィルター形成用凹部９０との隙間を埋めるように、かつ適度な密度で所要の粒径の砂利を詰めて砂利層９５を形成する。砂利層９５の上面は、ほぼ水平になるように均されて、その高さは、上記各レール９２の半分程度の高さに設定されている。なお、砂利層９５は、めくら排水管９４ｂの箇所については、網体９４３を覆うように被せられている（図６拡大右図参照）。
【００４５】
そして、砂利層９５の上には、合成樹脂製のネット（目の大きさ：1.8mm：図示省略）が布設されており、更にその上に適度な密度で砂を詰めて砂層９６が形成されている。砂利層９５と砂層９６の厚さは、適宜決められるが、例えば砂層９６が50mm、砂利層９５が150mmである。砂層９６の上面は、ほぼ水平になるように均されて、その高さは、底部１０１および各レール９２の上面とほぼ面一になるように設定されている。なお、砂層９６は、めくら排水管９４ｂの箇所については、網体９４３の上の砂利層９５を覆うように被せられている。
【００４６】
貯留部１０において、排水路２に沿う長手側の槽壁１０３には、五箇所に排水管１２、１２ａ、１２ｂ、１２ｃ、１２ｄが取り付け高さを違えて長手方向に所要間隔で設けられている。排水管１２、１２ａ、１２ｂ、１２ｃ、１２ｄは、槽壁１０３において上記トレンチ９３に対応する部分に槽壁１０３を内外方向に貫通して設けられている。
【００４７】
なお、排水管１２、１２ａ、１２ｂ、１２ｃ、１２ｄにおいて、槽壁１０３の内面側に表れている開口部は、取水口１２０、１２１、１２２、１２３、１２４である。各取水口には、網状のフィルター（図示省略）が取り付けられている。図３では、便宜上、取水口の符号と共に、それに対応する排水管の符号を括弧付きで表している。
【００４８】
図３に示すように、排水管１２、１２ａ、１２ｂ、１２ｃ、１２ｄにおいて後端部に設けてある排水管１２は、取水口１２０の下限水位が底部１０１よりやや高くなるように設定されている。また、排水管１２の前側の排水管１２ａは、取水口１２１が貯留部１０の深さ（槽壁１０３の高さ）の約１／２の高さになるように設けられている。また、排水管１２ａの管径は、他の排水管よりやや径大に形成されている。
【００４９】
排水管１２ａの前側の排水管１２ｂは、取水口１２２が貯留部１０の深さ（槽壁１０３の高さ）の約１／３の高さになるように設けられている。また、排水管１２ｂの前側の排水管１２ｃは、取水口１２３の下限水位が底部１０１よりやや高くなるように、かつ上記排水管１２と同じ高さに設定されている。排水管１２ｃの前側の排水管１２ｄは、取水口１２４の下限水位が底部１０１とほぼ同じ高さになるように設けられている。なお、排水管１２、１２ｃの各取水口１２０、１２３の高さを同じとした理由は、この付近の高さが排水処理を行う際に上澄みの排出量が一般に一番多くなる高さであるため、排水管１２、１２ｃの二本で排出できるようにしたものである。
【００５０】
また、取り付け位置が低い三箇所の排水管１２、１２ｃ、１２ｄは、立方体形状のコンクリートブロックである閉塞部材１３を底部１０１に載置することで、取水口１２０、１２３、１２４を塞ぐことができるようになっている。閉塞部材１３は、ブロック１３０に、ワイヤで形成した取り扱い用の把手１３１を設けた構造である。閉塞部材１３は、洗浄廃水の注入後、その量が多い場合でも、取水口１２０、１２３、１２４に大きな圧力がかからないようにして、低位置にある排水管１２、１２ｃ、１２ｄからの漏水を防ぐことができる。
【００５１】
次に、排水管１２、１２ａ、１２ｂ、１２ｃ、１２ｄの構造を説明する。なお、排水管１２、１２ａ、１２ｂ、１２ｃ、１２ｄの構造は同様であるので、具体的な構造については排水管１２についてのみ説明し、他の排水管１２ａ、１２ｂ、１２ｃ、１２ｄについては説明を省略する。
【００５２】
排水管１２は、図６の拡大左図に示すように槽壁１０３の外表面と直角、且つ水平に設けられた基管１２５を有している。基管１２５の基部側は、槽壁１０３を貫通して固定されている。基管１２５の先端部には全周にわたりフランジ（符号省略）が設けられている。基管１２５の先端部には、接続金具１２６を介しＬ型管状の切替管１２７が水密に接続されている。
【００５３】
切替管１２７は、装着時に水平方向となる水平部１２７ａと、同じく鉛直方向となる角度調整部１２７ｂで構成されている。水平部１２７ａの基端には全周にわたりフランジ（符号省略）が設けられており、基管１２５と切替管１２７のそれぞれのフランジは合わせられ、接続金具１２６で全周をほぼシールするように、且つ接続金具１２６を緩めることで基管１２５に対し切替管１２７が水平部１２７ａの軸周方向に回動できるようにして接続されている。
【００５４】
なお、切替管１２７は、常態では先部側の角度調整部１２７ｂを鉛直方向（先端口が上位置）に立てておき、角度調整部１２７ｂの先端面（上端面）が、その排水管１２においては、貯留部１０に貯留した廃液の液面の上限となるようにしている。そして、切替管１２７を回動させて角度調整部１２７ｂを倒すことにより、先端を基管１２５より低くすれば、基管１２５の内周面底部の高さが排水管１２で設定できる貯留部１０の液面の下限となる。
【００５５】
同様に、排水管１２ａは、槽壁１０３に固定された基管１２５に接続金具１２６を介し切替管１２７を接続した構造であり、排水管１２ｂは、槽壁１０３に固定された基管１２５に接続金具１２６を介し切替管１２７を接続した構造であり、排水管１２ｃは、槽壁１０３に固定された基管１２５に接続金具１２６を介し切替管１２７を接続した構造であり、更に排水管１２ｄは、槽壁１０３に固定された基管１２５に接続金具１２６を介し切替管１２７を接続した構造である。
【００５６】
また、以下は図示を省略しているが、排水管１２、１２ａ、１２ｂ、１２ｃ、１２ｄの中で一番低い位置にある排水管１２ｄの切替管１２７の角度調整部１２７ｂを鉛直方向に立てたときの先端の高さは、それより高い位置にある排水管１２、１２ｃの下限水位の高さより高い位置にある。
【００５７】
更に、排水管１２、１２ｃの切替管１２７の角度調整部１２７ｂを鉛直方向に立てたときの先端の高さは、それより高い位置にある排水管１２ａ、１２ｂの下限水位の高さより高い位置にある。これにより、排水口を上に向けて角度調整部１２７ｂを鉛直方向に立てておくことにより、上側の排水管で排水しきった後、次に低い側の排水管で、その水位を維持できるので、貯留部１０内の上澄みの透明度を確認しながら段階的に排水していくことが可能になる。
【００５８】
（排水路２）
洗浄廃水処理用プール１の槽壁１０３の横には、槽壁１０３に沿うように排水路２が設けられている。排水路２は、洗浄廃水処理用プール１の終端位置からほぼ水平方向に直角に曲がり、その先端側は沈殿槽３まで延ばされ、沈殿槽３に排水を導入できるようにしてある。なお、排水路２の路底部は、上流側（貯留部１０側）がやや高くなるよう傾斜しており、沈殿槽３へ向けての送水が円滑にできるようにしてある。
【００５９】
（沈殿槽３）
沈殿槽３は、コンクリート製で平面視四角形の槽状である。沈殿槽３は、オーバーフローに長い時間を要するように、後述する第１上澄み水槽４、第２上澄み水槽５より大きい容量に設定されている。
【００６０】
（第１上澄み水槽４）
沈殿槽３に隣接して、沈殿槽である第１上澄み水槽４が設けられている。第１上澄み水槽４は、コンクリート製で平面視四角形の槽状である。なお、上記沈殿槽３と第１上澄み水槽４を区画している、沈殿槽３と共通の槽壁３０の上部側の端部寄りには、上縁から切り欠くようにして、通水部３１が形成されている。通水部３１の底部の高さは、沈殿槽３のオーバーフローの液面高さとなる。
【００６１】
（第２上澄み水槽５）
第１上澄み水槽４に隣接して、沈殿槽である第２上澄み水槽５が設けられている。第２上澄み水槽５は、コンクリート製で平面視四角形の槽状である。なお、上記第１上澄み水槽４と第２上澄み水槽５を区画しており上記槽壁３０より上縁がやや低い、第１上澄み水槽４と共通の槽壁４０の上部には、上縁から切り欠くようにして、通水部４１が設けられている。通水部４１の底部の高さは、第１上澄み水槽４のオーバーフローの液面高さとなる。
【００６２】
（ｐＨ調整水槽６）
第２上澄み水槽５に隣接して、コンクリート製のｐＨ調整水槽６が設けられている。なお、第２上澄み水槽５とｐＨ調整水槽６を区画しており上記槽壁４０より上縁がやや低い、第２上澄み水槽５と共通の槽壁５０の上部には、上縁から切り欠くようにして、通水部５１が設けられている。通水部５１の底部の高さは、第２上澄み水槽５のオーバーフローの液面高さとなる。
【００６３】
ｐＨ調整水槽６は、第２上澄み水槽５から送られた上澄み水（対象水）に適宜の薬品（酸やアルカリ）を滴下してｐＨ中和を行うもので、ｐＨ値を中性域（ｐＨ７付近）に調整することができる。ｐＨ値を中性域に調整した水は、河川など、自然環境内へ放流される。なお、ｐＨ調整水槽６で行われる水のｐＨ調整と放流は、通常は後述する洗浄水道７による洗浄水の供給が相対的に少なく、第２上澄み水槽５でのオーバーフローの量が多すぎる場合に、主に行われる。
【００６４】
（洗浄水道７）
上澄み回収装置である洗浄水道７は、第２上澄み水槽５の水中に配置されているポンプ７０を有している。ポンプ７０には、送水管７１が接続されており、送水管７１は洗浄廃水処理用プール１の槽壁１０３ｂの外側まで延長されている。送水管７１の先端側は、上方へ上げられ、三本の支脚７２によって水平に支持されており、終端は塞がれている。また、送水管７１において、各支脚７２の間に対応する二箇所には、洗浄部である洗浄水ノズル７３が設けられている。各洗浄水ノズル７３の噴射方向は、洗浄廃水処理用プール１へ向けてもよいし、洗浄廃水処理用プール１外へ向けてもよく、適宜調整が可能である。
【００６５】
（作用）
図１ないし図６を参照して、洗浄廃水処理用プール１および洗浄廃水処理装置Ｗの作用について説明する。なお、洗浄廃水処理装置Ｗを使用した処理作業は、通常は生コンクリートの出荷日ごとに一日分をまとめて行われるが、これに限定はされない。
【００６６】
（１）洗浄廃水処理装置Ｗの作業初期状態においては、底部排水部９の排水管９４にはキャップ９４０が装着され、全部の排水管１２、１２ａ、１２ｂ、１２ｃ、１２ｄにおいて、切替管１２７の角度調整部１２７ｂが排水口を上に向けて鉛直方向に立てられ、何れも止水側に設定されている。更に、排水管１２、１２ｃ、１２ｄの取水口１２０、１２３、１２４は、閉塞部材１３によって塞がれている。
【００６７】
（２）洗浄廃水処理用プール１の貯留部１０に、ミキサー車やコンクリートポンプ車など、生コンクリートを扱う各種作業車を洗浄することで生じた、コンクリートスラッジを含む洗浄廃水を所要量注入する。作業車の洗浄を洗浄廃水処理用プール１で行う場合は、作業車を傾斜部１０２または貯留部１０内に入れて行う。
【００６８】
（３）洗浄廃水処理用プール１の貯留部１０に溜まった洗浄廃液を所要時間静置し、コンクリートスラッジなどを沈降させ、固液分離させる。上記したように、各排水部は止水側に設定されているので、排水路２へ排水されることはない。
【００６９】
（４）洗浄廃水処理用プール１の貯留部１０内で固液分離がある程度進んだら、洗浄廃水処理用プール１に設けられている排水管１２、１２ａ、１２ｂ、１２ｃ、１２ｄのうち、必要な水位まで上澄みを排出できる排水管の切替管１２７を一方へ回して横に倒すか、更に下方へ傾けて、その排水管の下限液面まで排水できるようにし、上澄み液を洗浄廃水処理用プール１の横に設けられている排水路２に排出する。そして、時間の経過と共に上澄みを観察しながら、徐々に下限水位がより低い排水管を排水側に切り替えて排水する。この際、必要に応じて、各閉塞部材１３を引き上げて、取水口１２０、１２３、１２４から通水ができるようにする。なお、取水口１２０、１２３、１２４のフィルターは、後述する脱水したコンクリートスラッジを作業車で回収する際に取り外す。
【００７０】
（５）上澄みを排水したあと、貯留部１０内のコンクリートスラッジの濃度が所要の濃度まで濃くなったところで、底部排水部９の排水管９４のキャップ９４０を取り外し、止水状態から排水可能な状態に切り替える。これにより、排水管９４からフィルター部の砂層９６、砂利層９５、網体９４３、フィルター９４２でコンクリートスラッジの多くが濾し取られ、コンクリートスラッジが分離された液分（水分）が、めくら排水管９４ｂおよびめくら排水管９４ａを通して排水管９４から、あるいは排水管１２、１２ｃ、１２ｄから、貯留部１０の外部にある排水路２へ排出される。このまま、液分がほぼ抜けきるように所要の時間静置して、貯留部１０の内部に残ったコンクリートスラッジを脱水する。
【００７１】
（６）そして、前部に可動式のブレードを有するホイールローダーなどの作業車を洗浄廃水処理用プール１の導入路１０４から傾斜面１０２を通り貯留部１０へ乗り入れて、ブレード底辺で底部１０１、および各レール９２上面を擦るようにして、貯留部１０に溜まって脱水され、所要の程度の固さまで固まったコンクリートスラッジを回収することができる。なお、各レール９２の作用によって、砂層９６、砂利槽９５はブレードで削ぎ取られることはなく、フィルター形成用凹部９０内に残る。
【００７２】
（７）回収したコンクリートスラッジは、別に用意された成形型（図示省略）に流し込まれ、養生固化されて塊になり、例えば建築用の骨材として二次利用することができる。
【００７３】
（８）また、排水路２を通った排水は、沈殿槽３から第１上澄み水槽４を通り、更に第２上澄み水槽５で処理され、第２上澄み水槽５内の上澄みは、ポンプ７０により洗浄水道７の洗浄水ノズル７３へ送られ、洗浄水として使用することができる。第２上澄み槽５でのオーバーフローが多い場合は、ｐＨ調整槽６でオーバーフロー液のｐＨ値を中性域（ｐＨ７付近）に調整して、河川など、自然環境内へ排出される。
【００７４】
（９）以降、洗浄廃液中の水の多くは、洗浄廃液処理装置Ｗ内で循環することになる。また、洗浄廃水処理用プール１においては、上記したように脱水後のコンクリートスラッジが回収され、これを成形型に入れて養生固化させて回収する工程を所要時間（期間）ごとに繰り返し行うことができる。
【００７５】
このように、洗浄廃水処理用プール１および洗浄廃水処理装置Ｗは、複雑な機械的可動部分のない簡単な構造であり、作業者に対し安全性が高く、錆の発生による騒音もなくメンテナンス性にも優れているなど、オーバーフロー型などの浄化槽の有利な点を同様に備えている。また、貯留部１０に底部排水部９を有することによって、洗浄廃水の量が比較的少なくても処理ができると共に、水切りがよく、貯留部１０に残ったコンクリートスラッジを脱水して回収し、成形型に入れて養生固化させ、コンクリート塊として回収することが可能である。
【００７６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００７７】
Ｗ  洗浄廃水処理装置
１  洗浄廃水処理用プール
１０  貯留部
１０１  底部
１０２  傾斜部
１０３、１０３ａ、１０３ｂ  槽壁
１０４  導入路
１２、１２ａ、１２ｂ、１２ｃ、１２ｄ  排水管
１２０、１２１、１２２、１２３、１２４  取水口
１２５  基管
１２６  接続金具
１２７  切替管
１２７ａ  水平部
１２７ｂ  角度調整部
１３  閉塞部材
１３０  ブロック
１３１  把手
２  排水路
３  沈殿槽
３０  槽壁
３１  通水部
４  第１上澄み水槽
４０  槽壁
４１  通水部
５  第２上澄み水槽
５０  槽壁
５１  通水部
６  ｐＨ調整水槽
７  洗浄水道
７０  ポンプ
７１  送水管
７２  支脚
７３  洗浄水ノズル
９  底部排水部
９００  底部
９０  フィルター形成用凹部
９２  レール
９１  凹溝
９３  トレンチ
９３０  通し孔
９４  排水管
９４０  キャップ
９４１  Ｔ型継手
９４ａ、９４ｂ  めくら排水管
９４２  フィルター
９４３  網体
９５  砂利層
９６  砂層
【図１】
2016165699.tif 000003
【図２】
2016165699.tif 000004
【図３】
2016165699.tif 000005
【図４】
2016165699.tif 000006
【図５】
2016165699.tif 000007
【図６】
2016165699.tif 000008